(57)【要約】【課題】  全ての単位ユニットで通信表示灯を点灯させないようにする操作が容易なプログラマブルコントローラーを提供する。【解決手段】  複数個の単位ユニット１ａ〜１ｃを備える。各単位ユニット１ａ〜１ｃは、それぞれ、他の機器に接続されて信号が入力及び出力される入出力部２と、入出力部２における入出力（通信）の有無を表示するための通信表示灯４とを有する。操作入力を受けてオンオフ状態を切り替える全体表示オフスイッチＳＷ１が、１個の単位ユニット１ａに設けられている。この全体表示オフスイッチＳＷ１をオンするだけで、全ての単位ユニット１ａ〜１ｃにおいてそれぞれ通信表示灯４が点灯しなくなる。全ての単位ユニット１ａ〜１ｃで通信表示灯４を点灯させないようにするために単位ユニット１ａ〜１ｃ毎の操作が必要な場合に比べ、操作が容易となっている。【選択図】図１
2011175376.tif 000002
【特許請求の範囲】
【請求項１】
複数個の単位ユニットを備えるプログラマブルコントローラーであって、
前記各単位ユニットは、それぞれ、
信号が入力及び出力される入出力部と、
前記入出力部に入力された信号に応じた信号を前記入出力部から出力させる制御部と、
電気的光源からなる通信表示灯と、
前記入出力部において信号の入出力がある期間にのみオンされる通信表示スイッチとを有し、
前記単位ユニットのうち少なくとも１個は操作入力を受けてオンオフ状態を切り替える全体表示オフスイッチを有し、
前記各単位ユニットにおいて、それぞれ、前記通信表示灯は、全ての前記全体表示オフスイッチがオフされ且つ前記通信表示スイッチがオンされている期間にのみ点灯されることを特徴とするプログラマブルコントローラー。
【請求項２】
前記全体表示オフスイッチが全ての前記単位ユニットにそれぞれ設けられていることを特徴とする請求項１記載のプログラマブルコントローラー。
【発明の詳細な説明】
【技術分野】
【０００１】
本発明は、プログラマブルコントローラーに関するものである。
【背景技術】
【０００２】
従来から、予め入力されたプログラムと、入力側の機器から入力される信号とに応じて、出力側の機器に信号を出力するプログラマブルコントローラーが提供されている。
【０００３】
この種のプログラマブルコントローラーは、大型機械のプログラム制御に用いられることが多い。具体的には例えば、タンクの水位を検出する入力側の機器としてのセンサーと、上記タンクに流入する水の流量を制御するバルブを駆動する出力側の機器としてのモーターとに接続され、タンクの水位を一定に保つフィードバック制御に用いられる。
【０００４】
この種のプログラマブルコントローラーは、一般に、入力側や出力側の機器との間での通信（すなわち信号の入出力）がされている期間に点灯される電気的光源からなる通信表示灯を備える。
【０００５】
しかしながら、通信表示灯が見られることが有り得ない位置（例えば、不透明な筐体の内部）にプログラマブルコントローラーが配置される場合には、通信表示灯による消費電力は無駄となる。そこで、通信表示灯による表示のオンオフを切り替えるスイッチを備え、該スイッチがオフされている期間には通信の有無に関わらず通信表示灯を点灯させないプログラマブルコントローラーが提供されている（例えば、特許文献１参照）。
【先行技術文献】
【特許文献】
【０００６】
【特許文献１】実開平２−８４９０３号公報
【発明の概要】
【発明が解決しようとする課題】
【０００７】
ここで、上記のようなプログラマブルコントローラーとして、それぞれ通信表示灯を有する複数個の単位ユニットで構成されたプログラマブルコントローラーも提供されている。
【０００８】
この種のプログラマブルコントローラーにおいて、通信表示灯を点灯させないための上記のようなスイッチを単位ユニット毎に設けた場合、全ての単位ユニットで通信表示灯を点灯させないようにするには、全ての単位ユニットでそれぞれ上記スイッチをオフする操作が必要となり、操作が煩わしくなる。
【０００９】
本発明は、上記事由に鑑みて為されたものであり、その目的は、全ての単位ユニットで通信表示灯を点灯させないようにする操作が容易なプログラマブルコントローラーを提供することにある。
【課題を解決するための手段】
【００１０】
第１の発明は、複数個の単位ユニットを備えるプログラマブルコントローラーであって、前記各単位ユニットは、それぞれ、信号が入力及び出力される入出力部と、前記入出力部に入力された信号に応じた信号を前記入出力部から出力させる制御部と、電気的光源からなる通信表示灯と、前記入出力部において信号の入出力がある期間にのみオンされる通信表示スイッチとを有し、前記単位ユニットのうち少なくとも１個は操作入力を受けてオンオフ状態を切り替える全体表示オフスイッチを有し、前記各単位ユニットにおいて、それぞれ、前記通信表示灯は、全ての前記全体表示オフスイッチがオフされ且つ前記通信表示スイッチがオンされている期間にのみ点灯されることを特徴とする。
【００１１】
第２の発明は、第１の発明において、前記全体表示オフスイッチが全ての前記単位ユニットにそれぞれ設けられていることを特徴とする。
【発明の効果】
【００１２】
本発明によれば、１個の単位ユニットで全体表示オフスイッチをオンするだけで、全ての単位ユニットで通信表示灯を点灯させないようにすることができるので、単位ユニット毎の操作が必要となる場合に比べ、全ての単位ユニットで通信表示灯を点灯させないようにする操作が容易である。
【図面の簡単な説明】
【００１３】
【図１】本発明の実施形態を示す回路ブロック図である。
【図２】同上の変更例を示す回路ブロック図である。
【発明を実施するための形態】
【００１４】
以下、本発明を実施するための最良の形態について、図面を参照しながら説明する。
【００１５】
本実施形態は、図１に示すように、複数個の単位ユニット１ａ〜１ｃが互いに接続されてなるプログラマブルコントローラーである。
【００１６】
各単位ユニット１ａ〜１ｃは、それぞれ、入力側の機器から信号が入力されるとともに出力側の機器への信号の出力を行う入出力部２と、入出力部２に入力された信号に応じた信号を生成して入出力部２から出力させる制御部３と、発光ダイオードからなる通信表示灯４と、入出力部２において信号の入出力がある期間にのみオンされる通信表示スイッチ５と、各部に必要な適宜の定電圧Ｖｃ，Ｖｄを生成する電源部（図示せず）とを有する。
【００１７】
入出力部２に接続される入力側の機器は、例えば、センサー（図示せず）や、他の単位ユニット１ａ〜１ｃなどである。また、入出力部２に接続される出力側の機器は、例えば、モーターや電気的光源などの負荷（図示せず）や、負荷への給電をオンオフするリレー（図示せず）や、他の単位ユニット１ａ〜１ｃなどである。
【００１８】
入出力部２は、例えば、入力側の機器と出力側の機器とにそれぞれ電線（図示せず）を介して接続され、該電線を介して電気信号の送受信を行うものである。この場合、入出力部２は、上記の電線との間でインピーダンスを整合させるインピーダンス整合回路や、受信（入力）された電気信号や送信（出力）される電気信号をそれぞれ増幅する増幅回路や、受信（入力）された電気信号におけるノイズを減衰させるフィルタ回路や、受信（入力）された電気信号をＡ／Ｄ変換して制御部３に入力するＡ／Ｄ変換回路などで構成することができる。
【００１９】
制御部３は予め入力されたプログラムに従って動作するものであり、制御部３としては例えば周知のマイクロコントローラーやＣＰＬＤ（Complex Programmable Logic Device）を用いることができる。
【００２０】
通信表示スイッチ５は、例えば周知のスイッチング素子で構成することができる。通信表示スイッチ５は、制御部３によってオンオフ駆動されるものとしてもよいし、入出力部２に連動してオンオフ駆動されるものとしてもよい。いずれの場合にも通信表示スイッチ５は周知技術で実現可能であるので、詳細な図示並びに説明は省略する。
【００２１】
また、１個の単位ユニット１ａは、抵抗を介して定電圧Ｖｃに接続された表示制御ラインＣＬを有し、他の各単位ユニット１ｂ，１ｃは、それぞれ表示制御ラインＣＬに電気的に接続されている。さらに、上記１個の単位ユニット１ａは、表示制御ラインＣＬとグランドとの間に介在して操作入力を受けてオンオフ切替される全体表示オフスイッチＳＷ１を有する。
【００２２】
さらに、各単位ユニット１ａ〜１ｃは、それぞれ、一方の入力端子が表示制御ラインＣＬに接続されるとともに他方の入力端子が抵抗を介して定電圧Ｖｃに接続された論理積回路ＡＮＤと、論理積回路ＡＮＤの上記他方の入力端子とグランドとの間に介在し操作入力を受けてオンオフ切替される個別表示オフスイッチＳＷ２と、ベースが論理積回路ＡＮＤの出力端子に接続されコレクタに定電圧Ｖｄが入力されエミッタが抵抗と通信表示灯４と通信表示スイッチ５との直列回路を介してグランドに接続されたｎｐｎ型のトランジスタＱ１とを備える。すなわち、通信表示灯４は、アノードがトランジスタＱ１と抵抗との直列回路を介して定電圧Ｖｄに接続されるとともに、カソードが通信表示スイッチ５を介してグランドに接続されている。
【００２３】
全体表示オフスイッチＳＷ１や個別表示オフスイッチＳＷ２としては、それぞれ、例えばスライドスイッチやプッシュロックスイッチのような周知のスイッチを用いることができる。
【００２４】
本実施形態の動作を説明する。まず、全体表示オフスイッチＳＷ１がオフされている期間について考える。この期間には、表示制御ラインＣＬの電圧レベルがＨレベルとなるから、論理積回路ＡＮＤの出力は単位ユニット１ａ〜１ｃ毎の個別表示オフスイッチＳＷ２のオンオフ状態に依存する。個別表示オフスイッチＳＷ２がオフされている単位ユニット１ａ〜１ｃでは、論理積回路ＡＮＤの出力がＨレベルとなってトランジスタＱ１がオンされるから、入出力部２での信号の入出力に応じた通信表示灯４の点灯がなされる。また、個別表示オフスイッチＳＷ２がオンされている単位ユニット１ａ〜１ｃでは、論理積回路ＡＮＤの出力がＬレベルとなってトランジスタＱ１がオフされることにより通信表示灯４の点灯が禁止されるから、入出力部２での信号の入出力の有無に関わらず、通信表示灯４は点灯しない。
【００２５】
一方、全体表示オフスイッチＳＷ１がオンされている期間には、表示制御ラインＣＬの電圧レベルがＬレベルとなる。従って、全ての単位ユニット１ａ〜１ｃで、それぞれ、論理積回路ＡＮＤの出力がＬレベルとなってトランジスタＱ１がオフされることにより通信表示灯４の点灯が禁止されるから、個別表示オフスイッチＳＷ２のオンオフや入出力部２での信号の入出力の有無に関わらず、通信表示灯４は点灯しない。
【００２６】
上記構成によれば、全ての単位ユニット１ａ〜１ｃで通信表示灯４を点灯させないようにする操作としては、１個の単位ユニット１ａで全体表示オフスイッチＳＷ１をオンするだけでよいから、全ての単位ユニット１ａ〜１ｃでそれぞれ操作が必要な場合に比べて上記操作が容易である。
【００２７】
また、個別表示オフスイッチＳＷ２の操作により、特定の単位ユニット１ａ〜１ｃでのみ通信表示灯４の点灯を禁止することもできる。
【００２８】
なお、上記のように１個の単位ユニット１ａのみに全体表示オフスイッチＳＷ１を設ける代わりに、図２に示すように複数個の単位ユニット１ａ〜１ｃにそれぞれ全体表示オフスイッチＳＷ１を設けてもよい。図２の例では、全ての単位ユニット１ａ〜１ｃで、それぞれ、全体表示オフスイッチＳＷ１が設けられ、また、個別表示オフスイッチＳＷ２が省略されている。この場合、１個以上の単位ユニット１ａ〜１ｃで全体表示オフスイッチＳＷ１がオンされていれば、全ての単位ユニット１ａ〜１ｃでそれぞれ通信表示灯４の点灯が禁止される。
【符号の説明】
【００２９】
１ａ〜１ｃ  単位ユニット
２  入出力部
３  制御部
４  通信表示灯
５  通信表示スイッチ
ＳＷ１  全体表示オフスイッチ
【図１】
2011175376.tif 000003
【図２】
2011175376.tif 000004